(57)【要約】【課題】従来のごみ箱では事業所や事務室から排出されるとくに裁断された紙類とか不必要な紙類を捨てようとすると非常に嵩張り、圧縮しようとするとごみ袋が損傷したり破けてしまい、ごみ類を圧縮してごみ袋に収納して排出することはできなかった。【解決手段】そこで本願発明は（１）一端部と他端部で開放した中空の本体よりなるごみ袋を支持するための枠体、あるいは（２）一端部と他端部で開放した中空の本体を有し、前記本体には他端部で開放し一端部へ向かって延在する複数のスリットが形成されていることを特徴とするごみ袋を支持するための枠体を使用することによって上記課題を解決する。（効果）本願発明の枠体をごみ袋内に装着すると、ごみ類が直接プラスチックのごみ袋に接することがなく、圧縮して捨てる場合にごみ袋をいためたり切断することがなく、ごみを最大限圧縮してごみ袋に詰め込むことができるなどの効果を奏する。【選択図】　図１
2004142838.tif 000002
【特許請求の範囲】
【請求項１】
一端部と他端部が開放した中空の本体よりなるごみ袋を支持するための枠体。
【請求項２】
請求項１において、中空の本体が一端部から他端部に向かって断面積がほぼ一定であることを特徴とするごみ袋を支持するための枠体。
【請求項３】
請求項１において、中空の本体が一端部から他端部に向かって断面積が変化していることを特徴とするごみ袋を支持するための枠体。
【請求項４】
請求項３において、中空の本体が一端部から他端部に向かって断面積が大きくなっていることを特徴とするごみ袋を支持するための枠体。
【請求項５】
請求項４において、前記本体は、略円錐台または略切頭円錐台の形状をしている枠体。
【請求項６】
請求項４において、前記本体は、略円形または略楕円形の断面を有する枠体。
【請求項７】
請求項４において、前記本体は、略角錐体または略切頭角錐体の形状をしている枠体。
【請求項８】
請求項４において、前記本体は、略三角形、略四角形、または略多角形の断面を有するの形状をしている枠体。
【請求項９】
中空の本体あるいはその一部が本体の一端部から他端部への方向を折り目とする蛇腹状の折り曲げ形状に形成されていることを特徴とする請求項１ないし４記載の枠体。
【請求項１０】
一端部と他端部で開放した中空の本体を有し、前記本体には他端部で開放し一端部へ向かって延在する複数のスリットが形成されていることを特徴とするごみ袋を支持するための枠体。
【請求項１１】
請求項１０において、前記本体は、略円形、略楕円形、略四角形、または略多角形の断面を有する枠体。
【発明の詳細な説明】
【０００１】
【発明の属する技術分野】
本願発明は、ごみ袋を支持するための枠体に関する。
【０００２】
【従来技術】
従来より、各家庭および各事業所から多種多様のごみが排出されている。一般的には、各家庭では、市販のごみ箱とかごみ容器を購入して、その内側にプラスチックのごみ袋を装着し、この中にごみを捨て、いっぱいになったところで捨てるとか、ごみが多くなったときには複数のごみ袋に入れて捨てるなどの方策が行われている。
【０００３】
また、各事業所とかオフィスなどでは排出されるごみ類の中で重量の割に嵩だかで取り扱いに困るのが紙類とかプラスチックフィルムとかであり、とくに書類を切断して捨てる場合には、ごみ袋に詰めようとしてもごみ袋が切れてしまったり、詰め込めないなどの問題が生ずることは日常よく経験することである。家庭においても、紙類を捨てようとすると紙類のごみはかさばって、いくつものごみ袋を用意しなければならないとか、折りたたまれた紙のエッジがわりと鋭いためにごみ袋が切れてしまうなどのことも生じている。
【０００４】
このため、特開２００１―０５２９３号公報では、ごみ箱の囲いの一部が伸縮できる構造となっていて、適量のごみが投入された場合に圧縮装置を作動させて圧縮し、圧縮完了状態で外周を梱包材で梱包し、それを取り出してトラックなどで処理場に運搬するということが提案されている。しかしながら、そのような大掛かりな装置を使用できるようなところはきわめて限られた大規模事業所であって、家庭、小さな事業所、事務室などではそんな大掛かりなものは必要としないし、また使用できない。
【０００５】
しかし、とくに各事業所やオフィスなどから排出されるごみは各地方自治体で所定の大きさのゴミ袋１個につきいくらというふうに有料で回収されているのが現状であるとともに、コンパクトにごみ袋に収納されていれば収集しやすいし、各事業所などにとっても経費の節約になるものである。
【０００６】
そこで、このようなごみをごみ袋にコンパクトに収納するために工夫が求められているが、上述のようにごみ容器内にごみ袋を装着して捨てるような場合には、折りたたまれた紙などのエッジでごみ袋が切れてしまったり、特定の箇所に圧力や摩擦が生じて詰め込めないとか破れてしまうなどの欠点があり、これを解決する方策は未だに見出されていないのが現状である。
【０００７】
【発明が解決しようとする課題】
そこで、本願発明は上述の問題にかんがみて、ごみ袋にこれらのごみ類を入れ込む場合に、コンパクトにごみ袋への詰め込みが容易となり、またごみがごみ袋をきってしまうことがなく、さらにごみ袋から抜き出すことが容易なゴミ袋用の補助具の枠体を提供することにある。
【０００８】
【問題を解決するための手段】
そこで、本願発明はごみ袋を支持するための枠体によって上述の課題を解決しようとするものである。
【０００９】
本願発明は、一端部と他端部が開放した中空の本体よりなることを特徴とするごみ袋を支持するための枠体に関するものであって、より詳しくは、
（１）一端部と他端部が開放した中空の本体よりなることを特徴とするごみ袋を支持するための枠体。
（２）前記本体は、一端部から他端部に向かって断面積がほぼ一定であることを特徴とするごみ袋を支持するための枠体。
（３）前記中空の本体が一端部から他端部に向かって断面積が変化していることを特徴とするごみ袋を支持するための枠体。
（４）前記中空の本体が一端部から他端部に向かって断面積が大きくなっていることを特徴とするごみ袋を支持するための枠体。
（５）前記本体は、略円錐台または略切頭円錐台の形状をしている（４）に記載の枠体。
（６）前記本体は、略円形または略楕円形の断面を有する（４）に記載の枠体。
（７）前記本体は、略角錐体または略切頭角錐体の形状をしている（４）に記載の枠体。
（８）前記本体は、略三角形、略四角形、または略多角形の断面を有するの形状をしている（４）に記載の枠体。
（９）前記本体は、本体あるいはその一部が本体の一端部から他端部への方向を折り目とする蛇腹状の折り曲げ形状に形成されている（１）ないし（４）記載の枠体。
（１０）一端部と他端部で開放した中空の本体を有し、前記本体には他端部で開放し一端部へ向かって延在する複数のスリットが形成されていることを特徴とするごみ袋を支持するための枠体。
（１１）前記本体は、略円形、略楕円形、略四角形、または略多角形の断面を有する（１０）に記載の枠体。
に関するものである。
【００１０】
以下では、請求項１ないし請求項９に係る発明を本願第１発明あるいは第１発明とよぶことがある。また、請求項１０ないし請求項１１に係る発明を本願第２発明あるいは第２発明とよぶことがある。
【００１１】
そこでまず、本願第１発明について説明する。この第１発明は、一端部と他端部が開放した中空の本体よりなるごみ袋を支持するための枠体に関するものであり、このような形状であればどのようなものでも使用できる。たとえば、前記中空の本体は、一端部から他端部に向かって断面積がほぼ一定であるか、あるいは一端部から他端部に向かって断面積が変化しているものであってもよく、さらに、前記中空の本体が一端部から他端部に向かって断面積が変化している場合、一端部から他端部向かって断面積が大きくなっていてもよいものである。さらに、一端部から他端部にかけて、断面積がまず一定の部分がありついで断面積が変化する場合（たとえば、他端部に向けて断面積が大きくなっていく場合）、断面積が大きくなっていき他端部付近で断面積が一定になる場合、および断面積が一定の部分がありついで断面積が変化し（たとえば、他端部に向けて断面積が大きくなっていく）最後に断面積が一定になる場合なども本願発明の形状に含まれる。
また、中空の本体は、その本体の全体あるいはその一部が本体の一端部から他端部への方向を折り目とする蛇腹状の折り曲げ形状に形成されていてもよいものである。
【００１２】
さらに、一端部と他端部に補強部材を取り付けてもよい。たとえば、断面積が一定の補強部材とか、断面積が小さくなっていくような補強部材とか、逆に断面積が大きくなっていくような補強部材などを一端部および／または他端部に一体的にあるいは別体で取り付けてもよいし、着脱自在に取り付けてもよい。この場合、この補強部材は中空の本体と同じ材料であってもよいし、別の材料であってもよい。また着色も同じ色としてもよいし、相違する色であっても差し支えない。
【００１３】
この枠体は、ごみ袋内に装着してこの枠体の内にごみを投入し、ついで投入されたごみがかさばってきた段階などで、適宜ごみを枠体に圧入するという動作を何回か繰り返すことにより、最後にこの枠体をごみ袋から抜くと圧縮されていたごみ類はそのままごみ袋中にコンパクトに詰め込むことができるという効果を奏するものである。とくに、事務室とか事業所の場合にはごみ類として相当量の紙類などが多く排出されものの、通常はこれらのごみ類は直接ごみ袋に投入されていて、これを圧縮しようとしても紙類がごみ袋をいためたり切断してしまって詰め込めないという状態が生じているが、本願発明のごみ袋を支持するための枠体を使用すると、紙類などのごみが直接ごみ袋に接することがなく、ごみ類をこの枠体内で十分圧縮することが可能となる。
【００１４】
この中空の本体の形状としては、一端部と他端部が開放した中空の本体よりなる構造を有するものであれば、どのような構造のものであっても使用できる。
たとえば、一端部から他端部に向かって断面積がほぼ一定であってもよいし、あるいは一端部から他端部に向かって断面積が変化しているものであってもよい。一端部から他端部に向かって断面積が変化する場合、不規則にあるいは規則的に増減したりしてもよい。しかし、一端部と他端部の断面積は同じ程度にするか、あるいは他端部の断面積を一端部の断面積より大きくするほうが好ましい。というのはこのような構造にするとごみ類を枠体から抜き出しやすいからである。
【００１５】
断面積を規則的に増減する場合、いろいろな形状が考えられる。たとえば、一端部から他端部方向の枠体の断面形状が緩やかな正弦波状の形状となっているものとか、一端部から他端部方向に断面積が増加しついで減少するというような形状となっているものとかが考えられる。
【００１６】
さらに、断面積が増加していく形状、たとえば一定割合で増加していく形状も考えられる。枠体内に詰め込まれたごみ類を枠体からはずしてごみ袋に収納する場合には、この断面積が増加していく形状のものが一番好ましい。というのは、詰め込まれたごみ類をわずかな力で他端部方向に押し出すだけで枠体からごみ類がごみ袋に押し出されやすいからである。
【００１７】
また、中空の本体は、その本体の全体あるいはその一部が本体の一端部から他端部への方向を折り目とする蛇腹状の折り曲げ形状に形成されていてもよいものである。
【００１８】
一端部から他端部向かって断面積が大きくなっているという構造を有するものの場合、具体的な形状としては、たとえば、ほぼ円錐台またはほぼ切頭円錐台の形状、ほぼ円形またはほぼ楕円形の断面積を有する形状、ほぼ角錐体またはほぼ切頭角錐体の形状、あるいはほぼ三角形、ほぼ四角形またはほぼ多角形の断面を有する形状などがあげられる。
【００１９】
また、これらの形状においてさらに、本体全体あるいはその一部が、本体の一端部から他端部への方向を折り目とする蛇腹状の折り曲げ形状に形成されたものであってもよい。このような構造ないし形状とすると、ごみを押し込む方向と一致するためより圧縮しやすいなどの利点がさらに生ずる。これらの形状も一端部から他端部向かって断面積が大きくなっているという構造に包含される。
【００２０】
また、一端部の一部に突起などの補助部材を設けて、枠体の取り扱いをしやすくすることもできる。
【００２１】
材料としては、プラスチック、金属、セラミック、木材、合板などの各種の材料を使用することができるが、製造のしやすさや軽さとか取り扱いやすさなどの点からはプラスチックが一番好ましいといえるが、これに限られるものではない。枠体をプラスチックで製造する場合には本体の肉厚が問題となる、肉厚があればあるほど強度などの点で好ましいが、一方では材料コストがかかり実用的でない場合がでてくる。このような点からは、肉厚はなるべく薄いほうがいいが、強度上の問題がでてくるので、このような場合に本体の外側表面に一端部から他端部への長手方向およびこの長手方向と直角の方向に複数のリブを設けることが好ましい。内側表面にもリブを設けることができるが、ごみを詰め込む際などにこのリブに引っかかってしまうことが予想されることから、このような場合には引っかからないようにリブの形状を多少工夫しなければならない場合がある。
プラスチック材料としては、通常の塩化ビニル樹脂、ポリエチレン、ポリプロピレン、ポリカーボネート、ナイロン樹脂などばかりでなくＦＲＰのような繊維強化樹脂も使用することができる。
【００２２】
中空の本体の外側表面には、リブばかりではなく装飾の目的でいろいろなキャラクターとか模様などを貼り付けたり形成したりすることができる。
【００２３】
さらに、枠体本体自体の全体形状としては、ほぼ円形とか楕円形とか角錐体などの各種形状をしているが、たとえば円錐形状であっても、傘にみるような細かい形状の蛇腹状の形状にしておいてもよい。このようにすることにより全体として伸縮自在となり使い易いものとなる場合があるし、伸縮自在となっていなくてもごみをコンパクトに詰め込もうとする際にごみがこのＶ字状の構造にそってより下方に圧縮されやすくなるなどの利点がある。しかし、枠体本体が、相当程度傘を広げられるような構造とすると、逆に枠体本体によりごみ袋を損傷したり、破いたりしてしまうためにある程度以上は広がらないようにする工夫が必要となる場合がある。さらにまた、枠体本体に適宜穴とかスリットを穿設して軽量化を図ることもできる。しかし、大きさと穿設場所によってはごみ類がごみ袋と接触する可能性があるので、そのようなことがないような場所と大きさなどを考慮する必要がある。
【００２４】
つぎに、本願第２発明について説明する。
第２発明は、一端部と他端部で開放した中空の本体を有し、前記本体には他端部で開放し一端部へ向かって延在する複数のスリットが形成されていることを特徴とするごみ袋を支持するための枠体に関するものである。
【００２５】
前記本体の形状としては、略円形、略楕円形、略四角形、または略多角形の断面を有する枠体が挙げられるが、この形状に限定されるものではなく上記の構造であればどのようなものでも使用することができる。
【００２６】
さらに、一端部に補強部材を取り付けてもよい。たとえば、断面積が一定の補強部材とか、断面積が小さくなっていくような補強部材とか、逆に断面積が大きくなっていくような補強部材などを一端部に一体的にあるいは別体で取り付けてもよいし、着脱自在に取り付けてもよい。この場合、この補強部材は中空の本体と同じ材料であってもよいし、別の材料であってもよい。また着色も同じ色としてもよいし、相違する色であっても差し支えない。さらにまた、このスリットに挟まれた枠体本体は舌片状の構造となっているが、この舌片状の構造の一端部に補強部材を一体的にまたは別体で設けてもよい。
【００２７】
この第２発明の枠体は、第１発明と同様にゴミ袋の中に入れ、これを従来のごみ箱に装着するかあるいは第１発明の枠体内に装着して使用できるものである。この従来のごみ箱に装着する場合、従来のごみ箱が上面から底部に向かって断面積が小さくなっているものでも、断面積がほぼ一定の場合にも両方のごみ箱に装着することができるという利点がある。というのは、前記の断面積が底部に向かって小さくなっているタイプのごみ箱の場合には、この枠体本体が他端部で開放し一端部へ向かって延在する複数のスリットが形成されており、このスリットに挟まれた枠体本体は舌片状の構造となり、開放部に対して前後に撓むようになっているためにこの舌片状の構造の枠体本体が枠体内方の開放部側に撓んですぼんだような格好となるためである。一方、第１発明の枠体本体内に装着した場合には、ごみを圧縮した場合には枠体の外方向、つまり開放部とは反対の外側に撓むので圧縮しやすく、かつ取り出しやすいという利点がある。この第２発明の枠体本体に使用する材料としては金属とかプラスチックなどが挙げられるが、一番成形しやすく、かつ安価なプラスチックが一番好ましい。
【００２８】
この第１の発明も第２の発明もごみ類が直接ポリエチレンのポリ袋などのごみ袋に接することがないので、ごみ類を圧縮したような場合にもごみ袋をいためたり切断するようなことがない。このようなことから、裁断した紙類などの紙類を相当程度圧縮してもこの枠体本体は圧縮に耐え、また圧縮状態を保持するので、家庭とか小さな事業所ばかりでなく通常の事業所や事務室の使用に耐えるものである。これにより圧縮されたごみ類はコンパクトになっているので取り扱いが容易で、ごみ類の収集などの軽減を図ることができるとともに各事業所や事務室での有料回収に対しても経費の軽減を図ることができる。
【００２９】
さらに、本願発明を図を用いて説明する。
まず、第１発明について説明する。
従来のごみ箱は、たとえば図１４や図１５に記載されているようにごみ箱本体７６、７７とその蓋体７２，７３との組み合わせでなっているものが多く、この本体８や本体９の内側にごみ袋を装着し、このごみ袋ないにごみを捨てるようにしている。このため、捨てようとするごみは、ごみ袋と直接接触するためごみによってはごみ袋をいためてしまって切ってしまうなどの事態が生じている。このことから、あらかじめ別に用意したごみ袋にごみを捨てて、ごみ袋の口を縛り、このようなものをいくつかこのごみ袋６２とかごみ袋６３に再度捨てるなどのことが行われている。
【００３０】
特に、事務室とか事業所やオフィスでは、紙類が多く排出されるが、この紙類のごみがなかなかの曲者で、折りたたまれた紙類はエッジのようになっており、また紙類を裁断機で切断したものは場合によってはナイフのようになるので、ごみ袋に詰め込もうとするとごみ袋が傷つけられたり破けてしまったりして、もう１枚ごみ袋を用意し、これに全部入れるなどのことが生じている。
【００３１】
本願発明の枠体はこのような観点から発明されたものであり、図２はこの枠体の一例の斜視図を示している。この枠体１は中空円錐体の形状をした枠体本体１０とこの本体上方の一端部と下方の他端部よりなっていて、上方の一端部は端部２０と開放部２１よりなっている。図３はこの中空円錐体よりなる枠体１の断面図を示す。他端部は図３にみるように端部３０と開放部３１よりなっている。図４は枠体１の正面図を、また図５は枠体１の上面図を示す。このようにこの枠体１は断面円形状で一端部から他端部にかけて断面積が大きくなっている非常に単純な構造となっている。枠体１はプラスチックでできており、枠体本体が肉厚の場合にはわざわざ枠体本体の外周面と一端部から他端部にかけての長手方向に補強のためのリブを設けなくてもよいが、肉厚が薄い場合には、補強のためにこのようなリブを設けることが便利である。本例では枠体本体の外側表面に補強のためのリブを設けてあるが図示されていない。このリブは、補強の意味とは別に、この枠体の装飾的な意味からも外側表面に設けることが好ましいし、肉厚で必要ない場合には装飾的観点から模様などを外側表面にリブの代わりに設けてもよい。
【００３２】
このようなごみ袋用支持枠体の使用例を図１に示す。この図１はごみ袋と使用した場合の断面図を示すものである。この図１にみるようにごみ袋６０の中に本願発明の枠体１を装着し、ごみ袋の口部を枠体の端部２０を包み込むように枠体１の内側に折り曲げておく。ごみ袋６０が枠体１の外側にずり落ちないように端部２０のところで把持体（図示せず）により把持してある。ごみ袋の内側に装着したこの枠体の内側にごみ８０を投入し、適宜ごみを下方に圧縮するようにする。裁断機にかけられた紙類の場合には圧縮したものは膨張するように作用するが、上方に行くほど断面積が小さくなるので、この膨張する力は下方に働くため、上方のほうにごみが上がってくることはほとんどない。そして、プラスチックで枠体ができているのでいくら押し込んでもごみ袋をいためることがない。このようにすると裁断された紙類は通常の３倍程度の詰め込みをすることができる。そして、枠体を取り去るときは、枠体が下方に断面積が大きくなるように設計されているので、ごみの上部を軽く押さえながら容易に何の支障もなく引き抜くことができ、しかもごみはごみ袋にコンパクトに収納されるという効果がある。図１には蓋体が示されていないが必要に応じて蓋体をかぶせておけばおけばよいし、わざわざ蓋体をかぶせておくことが必要ないところでは蓋体なしでそのまま使用することができる。
【００３３】
図６は、本願発明１の他の例を示す枠体２の斜視図である。図７は枠体２の上面図を、図８は枠体２の断面図を示す。枠体２は断面形状が略長方形状の四角錐体の形状をした枠体本体１１とこの上方の一端部と下方の他端部よりなっていて上方の一端部は端部２２と開放部２３よりなっている。そして、下方の他端部は図８にみるように端部３２と開放部３３とよりなっている。そして、一端部から他端部に向かって断面積が枠体１と同様に大きくなっている。材料としてはプラスチックばかりでなく木材なども使用することができる。使用する形態は図１の場合と同様で、ごみ袋の中にこの枠体２を装着して使用する。枠体１や枠体２の場合には一端部と他端部がそれぞれ構成する面は平行なものであるが、このような平行なものばかりではなく、平行でない切頭円錐体などような切頭錐体型のものでもよい。
【００３４】
図１６は、本願発明の第１発明の別の例を示す枠体の斜視図を示す。この例においては一端部から他端部に向かって断面積がほぼ一定である円筒形状をしており、枠体６は、一端部の端部５０と他端部の端部５２とを有する枠本体１５よりなるものである。なお５１は開放部を示す。
【００３５】
図１７は、本願発明の第１発明の他の別の例を示す枠体の斜視図を示す。この例においては一端部から他端部に向かって断面積がほぼ一定である中空の柱状形状をしており、枠体７は、一端部の端部５４と他端部の端部５６とを有する枠本体１６よりなるものである。なお５５は開放部を示す。
【００３６】
つぎに、本願発明の第２発明について説明する。
図９は、第２発明の１例を示す枠体３の斜視図を示し、図１０は枠体３の正面図を示す。図９において、枠体３は、中空四角形状の枠体本体１２とこの本体の下方の他端部は端部３４と開放部３５よりなっており、一方の一端部は端部２４と開放部２５よりなっている。そして、他端部から一端部に向かって複数のスリット４０が設けられており、スリットに挟まれた枠体本体の箇所は舌片状の構造部４１となり、開放部３５に対して前後に撓むようになっている。この例ではスリットは他端部から一端部に向かうにしたがってその間隔が小さくなるように設計されている。
【００３７】
図１１に本願発明の第２発明の枠体３を従来のごみ箱に装着した使用例の断面図を示してある。この従来のごみ箱は、ごみ箱本体７５と蓋体７１とより構成されており、ごみ箱本体７５は逆四角錐の形状で上方の開口部から底部に向かって断面積が小さくなるようになっている。そこで、まず、ごみ袋６１をごみ箱本体７５に装着し、ついで図９に示された第２発明の枠体３をごみ袋の内部にいれ、ごみ袋６１の入り口部を枠体３の内側に端部２４を包み込むようにして折り曲げて装着する。あるいは、まずごみ袋６１の中に枠体３を入れてから、これをごみ箱本体７５に入れて装着する。そして、枠体３の一端部側にはスリットにより舌片状の構造部４１が形成されているのでこの構造部４１が枠体の内側に撓むので、ごみ袋を押さえつける働きをするとともにごみとごみ袋とが接触するのを防止する役目を果たす。このようにすると、裁断した紙類をごみ袋に詰め込む際にごみ８１はごみ袋６１に接触することなく枠体内に詰め込むことが可能となる。このような枠体を使用する利点としては、従来のごみ箱をそのまま使用することができるとともに、ごみがごみ袋に接触しないのでごみ袋が損傷したり破けることがなく、しかもごみ袋にごみを詰め込むことができるなどの点が挙げられる。
【００３８】
図１２は第２発明の別の例を示す斜視図である。図１２において、枠体４は中空円柱状の枠体本体１３とこの本体の下方の他端部は端部３６と開放部３７とよりなり、また上方の一端部は同様に端部２６と開放部２７とよりなっていて、他端部から一端部に向かって複数のスリット４２が設けられており、スリットに挟まれた枠体本体は舌片状の構造部４３となり開放部３７に対して前後に撓むようになっている。この枠体４は断面形状が円形の従来のごみ箱に適している。
【００３９】
図１３は第２発明の他の例の枠体５を示す斜視図である。図１３において、枠体５は中空円柱状の枠体本体１４とこの本体の下方の他端部は端部３８と開放部３９とよりなり、また上方の一端部は同様に端部２８と開放部２９とよりなっていて、他端部から一端部に向かって複数のスリット４４が設けられており、スリットに挟まれた枠体本体は舌片状の構造部４５となり開放部３９に対して前後に撓むようになっている。この枠体５は断面形状が四角の従来のごみ箱に適している。
【００４０】
以上の例では第１発明と第２発明とも特定の形状のものを示したが、断面形状が楕円形状とか三角形状とか五角形状などの多角形状などいろいろな形状のものが使用できることはもちろんである。
【００４１】
【発明の効果】
この第１の発明も第２の発明も上述のような構成をとっているので、ごみ類が直接ごみ袋に接することがなく、ごみ類を圧縮する場合にもごみ袋をいためたり切断するようなことがない。このようなことから、裁断した紙類などの紙類を相当程度あるいは最大限圧縮してもこの枠体本体はこの圧縮に耐え、また圧縮状態を保持することができる。そして、この枠体は、ごみ袋内に装着してあるところからこの枠体の抜き去りが容易で、圧縮されたごみ類はそのままごみ袋に収容され、コンパクトな状態でごみを排出することができる。このため、ごみの取り扱いが容易となり、ごみ類の収集作業の軽減を図ることができるとともに各事業所や事務室での有料回収に対しても経費の軽減などを図ることができる。しかも、第２発明の枠体はすでに事業所や家庭にあるごみ箱を使用することができるので、裁断した紙類とかその他の紙類の排出をコンパクトにすることができて非常に便利である。
【図面の簡単な説明】
【図１】本願発明の第１発明の一例を示す枠体にごみ袋を装着した場合の一例の断面図を示す。
【図２】本願発明の第１発明の一例を示す枠体の斜視図を示す。
【図３】図２に示された枠体の断面図を示す。
【図４】図２に示された枠体の正面図を示す。
【図５】図２に示された枠体の上面図を示す。
【図６】本願発明の第１発明の他の例を示す枠体の斜視図を示す。
【図７】図６の枠体の上面図を示す。
【図８】図６の枠体の断面図を示す。
【図９】本願発明の第２発明の一例を示す枠体の斜視図を示す。
【図１０】図９の枠体の正面図を示す。
【図１１】図９に示された枠体を従来のごみ箱にごみ袋とともに装着した場合の断面図を示す。
【図１２】本願発明の第２発明の枠体の別の例を示す斜視図である。
【図１３】本願発明の第２発明の枠体の他の例を示す斜視図である。
【図１４】従来のごみ箱にごみ袋を装着した場合の断面図を示す
【図１５】従来の別のタイプのごみ箱にごみ袋を装着した場合の断面図を示す。
【図１６】本願発明の第１発明の別の例を示す枠体の斜視図を示す。
【図１７】本願発明の第１発明の他の別の例を示す枠体の斜視図を示す。
【符号の説明】
１、２、３、４、５、６、７：枠体
１０、１１、１２、１３、１４、１５，１６：枠体本体
２０、２２、２４、２６、２８、３０、３２、３４、３６、３８、５０、５２、５４、５６：端部
２１、２３、２５、２７、２９、３１、３３、３５、３７、３９、５１、５５：開放部
４０、４２、４４：スリット
４１、４３、４５：舌片状の構造部
６０、６１、６２、６３：ごみ袋
７１、７２、７３：蓋体
７５、７６、７７：ごみ箱本体
８０、８１：ごみ
【図１】
2004142838.tif 000003
【図２】
2004142838.tif 000004
【図３】
2004142838.tif 000005
【図４】
2004142838.tif 000006
【図５】
2004142838.tif 000007
【図６】
2004142838.tif 000008
【図７】
2004142838.tif 000009
【図８】
2004142838.tif 000010
【図９】
2004142838.tif 000011
【図１０】
2004142838.tif 000012
【図１１】
2004142838.tif 000013
【図１２】
2004142838.tif 000014
【図１３】
2004142838.tif 000015
【図１４】
2004142838.tif 000016
【図１５】
2004142838.tif 000017
【図１６】
2004142838.tif 000018
【図１７】
2004142838.tif 000019